(57)【要約】【課題】エアブローにより異物除去を図る際、除去効果を高め、また、耐久性の良い装置を簡素に構成出来るようにする。【解決手段】加圧エア源１から送られる一次圧エアを増圧弁３によって増圧し、一次圧と二次圧の間で脈動する脈動二次圧エアを得る。この脈動二次圧エアを必要に応じて風量増幅型エアノズルで更に増圧して脈動三次圧エアを生成し、これら脈動二次圧エアまたは脈動三次圧エアを吹付け部４から吹出すことにより、ワークＷに付着する異物を除去する。【選択図】　　　　図１
2004074085.tif 000002
【特許請求の範囲】
【請求項１】
ワークに付着した異物を除去するためのエアブロー装置であって、一次圧としての加圧エアを供給する加圧エア源と、この加圧エア源から送られるエアを脈動的に増圧して脈動二次圧エアを生成する増圧弁と、生成された二次圧エアを吹き付ける吹付け部を備えたことを特徴とするエアブロー装置。
【請求項２】
前記吹付け部は、二次圧エアを増圧して脈動三次圧エアを生成する風量増幅型エアノズルを備えたことを特徴とする請求項１に記載のエアブロー装置。
【請求項３】
前記吹付け部は、首振り機構により首振り自在にされることを特徴とする請求項１又は請求項２に記載のエアブロー装置。
【発明の詳細な説明】
【０００１】
【発明の属する技術分野】
本発明は、例えば自動車のＡＴミッションケースのような複雑形状のワークから異物を除去するためのエアブロー装置に関する。
【０００２】
【従来の技術】
従来、複雑形状の車両用部品を洗浄したり、部品に付着する異物を除去するような技術として、例えば特開２０００−１５７９３９のように、洗浄液または圧縮空気を脈圧にして洗浄効果等を高めるような技術が知られている。
【０００３】
【発明が解決しようとする課題】
ところが、上記技術を含めて従来一般の脈圧の生成方式は、例えば図７（ａ）に示すように、ソレノイドバルブ５１等を用いて流路の切替を繰り返す方式が大部分であり、このような方式で吹付け部５２から吹出される脈圧は、図７（ｂ）に示すように、流体圧がゼロになる時点と一次圧に戻る時点が反復するだけで、異物の除去効果等が弱いという問題があった。
また、ソレノイドバルブ５１による切替方式の場合、信号用回路が必要で装置が大型化する傾向にあり、しかもソレノイドバルブに耐久性が乏しいため、装置の耐用年数が低いという問題もあった。
【０００４】
そこで本発明は、エアブローにより異物除去を図る際、除去効果を高め、また、耐久性の良い装置を簡素に構成出来るようにすることを目的とする。
【０００５】
【課題を解決するための手段】
上記目的を達成するため、本発明は、ワークに付着した異物を除去するためのエアブロー装置において、一次圧としての加圧エアを供給する加圧エア源と、この加圧エア源から送られるエアを脈動的に増圧して脈動二次圧エアを生成する増圧弁と、生成された二次圧エアを吹き付ける吹付け部を設けるようにした。
【０００６】
ここで、脈動二次圧エアとは、最低圧が一次圧で、最高圧がそれより高く増圧された二次圧で、一次圧と二次圧との間を脈動するエアであるが、このような脈動二次圧エアは、すべての時点において一次圧より圧力が下がることがなく、吹付け効果を高めて異物の除去作用を向上させることが出来る。そしてこのような脈動二次圧エアは、一般の増圧弁によって簡単に増圧することができる。
【０００７】
また本発明では、前記吹付け部に、二次圧エアを増圧して脈動三次圧エアを生成する風量増幅型エアノズルを設けるようにした。
ここで、風量増幅型エアノズルとしては、例えばトランスベクター等のエアノズルを適用することが出来、二次圧より更に増圧することで、異物の除去作用を一層高めることができる。
【０００８】
また本発明では、前記吹付け部を、首振り機構により首振り自在にした。
このように吹付け部を首振り機構により首振りするようにすれば、例えばエアを広範囲に洩れなく吹き付けることが出来て、異物の除去作用を一層高めることが出来る。
【０００９】
【発明の実施の形態】
本発明の実施の形態について添付した図面に基づき説明する。
ここで図１は本発明に係るエアブロー装置の基本構成を示す概要図、図２は増圧弁の構造の説明図、図３は風量増幅型エアノズルの構造の説明図、図４は脈動二次圧エアと脈動三次圧エアの説明図、図５は具体的な装置構成の一例を示す説明図、図６は首振り機構の一例の説明図である。
【００１０】
本発明に係るエアブロー装置は、異物の除去効果を高めると同時に、装置を簡素に構成できるようにされ、増圧弁を使用して脈動的に増圧したエアを吹付けることを特徴としている。
【００１１】
すなわち、本エアブロー装置１の基本構成は、図１に示すように、一次圧エアとしての加圧エアを供給する加圧エア源２と、この加圧エア源２から送られる加圧エアを脈動的に増圧して脈動二次圧エアを生成する増圧弁３と、生成された脈動二次圧エアをワークに向けて吹き付ける吹付け部４を備えている。
【００１２】
前記増圧弁３は、図２に示すように、ケース５の中央を境にして、左方の内部空間が大空間として断面積が大きく、右方の内部空間が小空間として断面積が小さくされるとともに、それぞれの内部空間が各ピストン６、７によって二つの室Ａ・Ｂ、Ｃ・Ｄに区画され、両方のピストン６、７は連結ロッド８によって一体に結合されている。
そして、右方の小空間の室Ｃ・Ｄには、一次圧エアを直接送り込むための入力回路ｘが接続されるとともに、左方の大空間の室Ａ・Ｂには、切替バルブ９を介して一次圧エアを送り込むことが出来る入力回路ｙが接続されている。また、右方の小空間の室Ｃ・Ｄからは、二次圧エアを送り出す出力回路ｚが接続されている。
【００１３】
このような増圧弁３において、今、Ｃ、Ｄ、Ｂの室に一次圧エアが入ると、Ｂ室内のエア圧によってピストン６、７が左方に移動し、Ｃ室内のエアが増圧され二次圧エアとなって出力回路ｚから出力される。
次に、切替バルブ９を作動させて、Ａ、Ｃ、Ｄ室に一次圧エアが導入されると、Ａ室内のエア圧によりピストン６、７が右方に移動する。このため、Ｄ室内のエアが増圧され二次圧エアとなって出力回路ｚから出力される。
【００１４】
以上のような繰り返しによって、エア圧は、図４（ａ）に示すように、一次圧と二次圧の間を脈動する脈動二次圧エアが得られることになり、切替わりの時点（ピストンエンド）の出力回路ｚの圧力は一次圧と同じ値になる。
【００１５】
そしてこのような脈動二次圧エアを吹付け部４から吹き付けることにより、ソレノイド仕様の脈圧より高い効果で異物を除去できる。
【００１６】
ところで、吹付け部４としては、単純なノズルで構成しても良いが、風量増幅型エアノズルを使用して更に増圧を図ることも可能である。
ここで、図３は、風量増幅型エアノズル１１の構成例図であるが、このエアノズル１１は脈動二次圧エアが流動するメイン通路ｐの途中に、外気エアを流入せしめる複数のサブ通路ｓを合流させるようにしており、サブ通路ｓからのエア流入効果により、メイン通路ｐからのエア元圧の１０％程度、増圧効果が望めるようにしている。
【００１７】
そしてこの時のエア圧は、図４（ｂ）に示す通りであり、エアブローの圧力が高まって、異物の除去作用を一層強めることができる。
【００１８】
ところで、以上のような吹付け部４は、ノズルを振りながら吹き付けを行うと異物除去により効果的であるため、吹付け部４に首振り機構を設けることが好ましい。以下、図５、図６の具体的なエアブロー装置の構成例を例にとって説明する。
【００１９】
このエアブロー装置１Ａは、自動車のミッションケース等に付着する異物を除去するための装置であり、テーブル１３に形成される凹部１３ｄの上部に凹部１３ｄを覆うようにミッションケースＷを被せて位置決めし、ミッションケースＷの内面にエアブローを施すようにしているが、この際、テーブル１３の凹部１３ｄ内に、油路面をブローする油路面ブローノズル１４を配設するとともに、ミッションケースＷの側面には、ミッションケースＷの側面開口部からエアを吹き付けて油圧抽出部をブローする油圧抽出孔ブロー部材１５を接続し、これら油路面ブローノズル１４と油圧抽出孔ブロー部材１５から脈動二次圧エアまたは脈動三次圧エアを吹き付けて、異物を集積部に送り込むとともに、前記油路面ブローノズル１４を、首振り機構１６により首振り自在にしている。
【００２０】
そしてこの首振り機構１６は、図６にも示すように、ロータリーアクチュエータ１７の作動によって揺動自在なアーム１８を備えており、このアーム１８の先端に風量増幅型エアノズルである油路面ブローノズル１４を取り付けている。
また、このロータリーアクチュエータ１７や油路面ブローノズル１４は、シリンダ１９の作動によって進退動自在にされており、油路面ブローノズル１４は、首を振りながら進退動することにより、広範囲を洩れなくブローできるようにされている。
【００２１】
ところで、以上のようなエアブロー装置１、１Ａを使用して各種ワークに対して異物除去のテストを行った結果について説明する。
まず、ミッションケースの場合は、油圧回路面と油圧抽出孔のエアブローを行ったが、０．５Ｍｐａの一次圧エアを１秒間ブローしたとき、異物の大きさは０．４ｍｍ程度であり、５秒間ブローしたときでも異物の大きさは０．１８ｍｍ程度であった。これに対して、０．５Ｍｐａの脈動二次圧エアを５秒間ブローすると、異物の大きさは０．０２ｍｍ以下となり、一桁小さい値となった。
【００２２】
また、ミッションシャフトの場合は、油圧通路内のエアブローを行ったが、０．５Ｍｐａの一次圧エアを１秒間ブローしたとき、異物の大きさは０．４ｍｍ程度であり、５秒間ブローしたときでも異物の大きさは０．１５ｍｍ程度であった。これに対して、０．５Ｍｐａの脈動二次圧エアを５秒間ブローすると、異物の大きさは０．０２ｍｍ以下となり、これも一桁小さい値となった。
【００２３】
次に、カバーの場合は、油圧通路内のエアブローを行ったが、０．５Ｍｐａの一次圧エアを１秒間ブローしたとき、異物の大きさは０．１５ｍｍ程度であり、５秒間ブローしたときでも異物の大きさは０．０７ｍｍ程度であった。これに対して、０．５Ｍｐａの脈動二次圧エアを５秒間ブローすると、異物の大きさは０．０２ｍｍ以下となった。
このことから本発明の有効性が確認された。
【００２４】
尚、本発明は以上のような実施形態に限定されるものではない。本発明の特許請求の範囲に記載した事項と実質的に同一の構成を有し、同一の作用効果を奏するものは本発明の技術的範囲に属する。
例えばワークの種類等は一例である。
【００２５】
【発明の効果】
以上のように本発明に係るエアブロー装置は、一次圧としての加圧エアを供給する加圧エア源と、この加圧エア源から送られるエアを脈動的に増圧して脈動二次圧エアを生成する増圧弁と、生成された二次圧エアを吹き付ける吹付け部を設けるようにしたため、すべての時点において一次圧より高い圧力エアで吹き付けることができ、異物の除去作用を向上させることが出来る。
この際、吹付け部に脈動三次圧エアを生成する風量増幅型エアノズルを設けるようにすれば、異物の除去作用を一層高めることができ、しかも吹付け部を、首振り機構により首振り自在にすれば、異物の除去作用を一層高めることが出来る。
【図面の簡単な説明】
【図１】本発明に係るエアブロー装置の基本構成を示す概要図
【図２】増圧弁の構造の説明図
【図３】風量増幅型エアノズルの構造の説明図
【図４】（ａ）は脈動二次圧エアの説明図、（ｂ）は脈動三次圧エアの説明図
【図５】具体的な装置構成の一例を示す説明図
【図６】首振り機構の一例の説明図
【図７】（ａ）は従来のソレノイド式増圧器の説明図、（ｂ）は脈動エアの説明図
【符号の説明】
１、１Ａ…エアブロー装置、２…加圧エア源、３…増圧弁、４…吹付け部、１１…風量増幅型エアノズル、１６…首振り機構。
【図１】
2004074085.tif 000003
【図２】
2004074085.tif 000004
【図３】
2004074085.tif 000005
【図４】
2004074085.tif 000006
【図５】
2004074085.tif 000007
【図６】
2004074085.tif 000008
【図７】
2004074085.tif 000009